(57)【要約】【課題】座席シート、特に航空機用座席シートのための、最小限の空間にてベッド状態となるまで完全にリクライニングさせて、乗客が休息する平面に不連続部分のない「ベッド」とすることができ、構造的に非常に簡単で容易且つ信頼できる機構を提供する。また見えてしまうガイドをなくす。【解決手段】実質的に後方位置に配置され、ガイドを備え、床に固定された下側部材（３）と、背もたれ部分（１）およびシート座（２）がそれぞれ後部および前部に備えられると共に、前記下側部材（３）の前方で、自体の下部上方に揺動レバー部材（１２）が枢支されているシート部材（７）と、シート部材（７）および背もたれ部分（１）の間の連結箇所（１２）に後端部（１７）が枢支され、前記揺動レバー（１２）に前端部（１８）が枢支されたレバー部材（１６）とを含み、揺動レバー部材に作用して、座席シートをリクライニングまたはリフティングさせる機構全体を作動させるための作動手段（１４）をさらに備えた座席シート、特に航空機用座席シートの完全なリクライニング機能を得るための機構。【選択図】　　　　図２
2004081263.tif 000002
【特許請求の範囲】
【請求項１】
実質的に後方位置に配置され、ガイドを備え、床に固定された下側部材と、背もたれ部分およびシート座がそれぞれ後部および前部に備えられると共に、前記下側部材の前方で、自体の下部上方に揺動レバー部材が枢支されているシート部材と、シート部材および背もたれ部分の間の連結箇所に後端部が枢支され、前記揺動レバーに前端部が枢支されたレバー部材とを含み、揺動レバー部材に作用して、座席シートをリクライニングまたはリフティングさせる機構全体を作動させるための作動手段をさらに備えたことを特徴とする座席シート、特に航空機用座席シートの完全なリクライニング機能を得るための機構。
【請求項２】
シート・フットレストのためのリフティング機構を備えたことを特徴とする請求項１に記載された機構。
【請求項３】
各シートに異なる２つの機構が備えられたことを特徴とする請求項１から請求項２までのいずれか一項に記載された機構。
【請求項４】
前記揺動レバー作動手段が機械式、液体圧作動式、空気圧作動式、液体および空気圧作動式の作動手段を含むことを特徴とする請求項１から請求項３までのいずれか一項に記載された機構。
【請求項５】
前記シート部材が後部に背もたれ部分用の２つの手段と、シート座の連結用の２つの連結箇所、すなわちそれぞれ上側箇所および下側箇所とを備えたことを特徴とする請求項１から請求項４までのいずれか一項に記載された機構。
【請求項６】
実質的に図示し説明した請求項１から請求項５までのいずれか一項に記載された機構。
【発明の詳細な説明】
【０００１】
【発明の属する技術分野】
本発明は座席シート、特に航空機用座席シートの完全なリクライニングを得るための機構に関する。
【０００２】
さらに詳しくは、本発明は厳しく限られた空間にて「ベッド」状態を作り出すことのできる上述形式の機構に関する。
【０００３】
本発明により提供される解決策は「ビジネス」クラスの座席シートに特に公的である。
【０００４】
【従来の技術】
航空機には、エコノミック・クラス用、ビジネス・クラス用、そして多くの場合にファースト・クラス用の座席シートが備えられていることはよく知られている。
【０００５】
最高の快適さを得るために、特にビジネス・クラスおよびファースト・クラスに関して、多くの技術的な解決策が研究されている。ファースト・クラスに関しては利用できる空間が大きいという理由で解決方法を見い出すことは容易であるのに対し、ビジネス・クラス用の座席シートで或る程度の結果を得ることはさらに困難であるということは明かである。
【０００６】
さらに詳しくは、ビジネス・クラスでは利用できる空間が小さいという主な理由により、「ベッド」状態を得ることは容易でない。
【０００７】
本発明で提供される解決策は、この点に関して含まれる。
【０００８】
【発明が解決しようとする課題】
特に、本発明の主目的は、最小限の空間にてベッド状態となるまで座席シートを完全にリクライニングさせる機構を提供することである。
【０００９】
本発明の他の目的は、乗客が休息する平面に不連続部分のない「ベッド」とすることのできる上述形式の解決策を提供することである。
【００１０】
本発明のさらに他の目的は、構造的見地から非常に簡単であり、同時に容易且つ信頼できる機構を提供することである。
【００１１】
本発明のさらに他の目的は、見えてしまうガイドの存在を排除する技術的解決策を提供することである。
【００１２】
【課題を解決するための手段】
従って本発明の特別な目的は、実質的にリア・ポジションに配置され、ガイドを備え、床に固定された下側部材と、背もたれ部分およびシート座がそれぞれ後部および前部に備えられると共に、前記下側部材の前方で、自体の下部上方に揺動レバー部材が枢支されているシート部材と、シート部材および背もたれ部分の間の連結箇所に後端部が枢支され、前記揺動レバーに前端部が枢支されたレバー部材とを含み、揺動レバー部材に作用して、座席シートをリクライニングまたはリフティングさせる機構全体を作動させるための作動手段をさらに備えた座席シート、特に航空機用座席シートの完全なリクライニング機能を得るための機構である。
【００１３】
本発明によれば、シート・フットレストのためのリフティング機構が提供される。
【００１４】
さらに本発明によれば、各シートに異なる２つの機構を備えることができる。
【００１５】
さらに、本発明によれば、前記揺動レバー作動手段は機械式、液体圧作動式、空気圧作動式、液体および空気圧作動式の作動手段で構成されることができる。
【００１６】
本発明による機構の好ましい実施例では、前記シート部材は後部に背もたれ部分用の２つの手段と、シート座の連結用の２つの連結箇所、すなわちそれぞれ上側箇所および下側箇所とが備えられる。
【００１７】
本発明は、添付図面を特に参照して好ましい実施例に従って以下に記載されるが、この記載は説明のためのものであり、限定する目的のものではない。
【００１８】
【発明の実施の形態】
添付図面を参照すれば、図１および図２には、背もたれ部分１、およびフットレスト２’を備えたシート座２、さらには本発明による機構の他の部分が示されている。
【００１９】
特に前記機構は、シート座の下側バーを床に固定するための固定箇所４，５、ならびにガイド６を備えた部材３を備えており、本発明による機構に関するそれらの機能は以下の説明で明白となるであろう。
【００２０】
シート座の部材７は後部の符号８，９で示される箇所で、背もたれ部分１の箇所８’，９’に対して枢支され、また部材７は箇所１０，１１に対応する箇所でシート座２に連結される。さらに、部材７はピン１２’を備えた後部において、部材３のガイド６に沿ってスライド可能とされる。
【００２１】
前部揺動レバー１２は部材３の底部且つ前部に備えられ、箇所１３，１３’を一致させて連結されており、また液体圧作動式、空気圧作動式、液体および空気圧作動式の作動装置とされる作動装置１４が揺動レバーに作用する。
【００２２】
前記揺動レバー１２は部材７の箇所１５’に対し、対応する符号１５で示される箇所にてさらに枢支される。
【００２３】
連結レバー１６がさらに含まれ、この連結レバーは後端が箇所９−９’の位置にて枢支され、揺動レバー１２の箇所１８’にて他方の全体８が枢支される。
【００２４】
図３ａ〜図３ｅも参照すれば、本発明による機構の作動が見られる。
【００２５】
作動装置１４を作動させることで、下側部材３上で枢支箇所１３のまわりに揺動レバー１２が回転を生じる。
【００２６】
揺動レバー１２はシート座に対して前進移動し、従って枢支箇所１５，１５’によりシート部材７を前方へ押圧し、下側部材３のガイド６に沿う連結レバー１６の動きによって前進させる。
【００２７】
この機構の動きは、図３ｅの「ベッド」位置を得るまで続く。
【００２８】
図示された実施例では、この解決策は座席シートのリクライニングを行うためにただ１つの機構を備えればすむのであるが、本発明による二重機構が各座席シートに備えられている。
【００２９】
同時に、従来形式の機構に鑑みてフットレスト２’が持ち上がるが、フットレストは本発明の特別な目的でないことから、これ以上説明することはしない。
【００３０】
添付図面に示された実施例では、座席シートは同日出願された別の特許出願の主題であるさらに幾つかの構造的特徴を備えており、特にリクライニング作動時に後部本体１９が開かれてシート座が移動できるようにする。
【００３１】
開かれたときに、肩のためにより大きな空間が得られるようにするパネル２０をさらに備えている。
【００３２】
望まれるならば、隣接する座席シートと連続した空間を得るために、下げることの可能なアーム２１がさらに備えられている。
【００３３】
本発明は好ましい実施例に従って説明のために、非制限的な目的で記載されたが、当業者には特許請求の範囲の欄に記載された関連する範囲から逸脱することなく改良および（または）変更を行い得ることを理解しなければならない。
【図面の簡単な説明】
【図１】本発明による機構の斜視図である。
【図２】本発明による機構の部材の分解図である。
【図３ａ】本発明による機構を備えた座席シートのある位置を示す。
【図３ｂ】本発明による機構を備えた座席シートの別の位置を示す。
【図３ｃ】本発明による機構を備えた座席シートのさらに別の位置を示す。
【図３ｄ】本発明による機構を備えた座席シートのさらに移動された位置を示す。
【図３ｅ】本発明による機構を備えた座席シートのベッドの位置を示す。
【符号の説明】
１　背もたれ部分
２　シート座
２’　フットレスト２’
３　ガイド６を備えた部材
４，５　固定箇所
６　ガイド
７　シート座の部材
８，８’，９，９’，１０，１１，１３，１３’　枢支箇所
１５，１５’，１８’　枢支箇所
１２’　ピン
１２　揺動レバー
１４　作動装置
１６　連結レバー
１９　後部本体
２０　パネル
【図１】
2004081263.tif 000003
【図２】
2004081263.tif 000004
【図３ａ】
2004081263.tif 000005
【図３ｂ】
2004081263.tif 000006
【図３ｃ】
2004081263.tif 000007
【図３ｄ】
2004081263.tif 000008
【図３ｅ】
2004081263.tif 000009